(57)【要約】【課題】練和時に視覚的にインパクトがある演出をすることができるアルジネート印象材練和装置を提供する。【解決手段】練和物を内包するための練和カップ１３と、透明である練和カップのフタ１１と、練和カップを公転軸２２周りに回転させる公転盤２１と、公転盤に配置され練和カップを装着するとともに練和カップを自転させる練和カップ受け１４と、練和カップの位置を検知するセンサ３１と、練和カップを照明する発光源３２と、練和カップの位置に基づき発光源の点灯及び消灯を制御する制御手段と、少なくとも練和カップを内包する筐体２と、筐体の開放及び閉鎖を切り替え、閉鎖時にも練和カップを視認できるように少なくとも一部が透明であるフタ３と、を備える。【選択図】図２
2018007926.tif 000002
【特許請求の範囲】
【請求項１】
練和物を内包するための練和カップと、
透明である前記練和カップの練和カップ用フタと、
前記練和カップを公転軸周りに回転させる公転盤と、
前記公転盤に配置され前記練和カップを装着するとともに前記練和カップを自転させる練和カップ受けと、
前記練和カップの位置を検知するセンサと、
前記練和カップを照明する発光源と、
前記練和カップの位置に基づき前記発光源の点灯及び消灯を制御する制御手段と、
少なくとも前記練和カップを内包する筐体と、
前記筐体の開放及び閉鎖を切り替え、閉鎖時にも前記練和カップを視認できるように少なくとも一部が透明であるフタと、
を備えるアルジネート印象材練和機。
【請求項２】
前記練和カップを前記公転盤により公転させつつ、前記制御手段が前記練和カップが所定の一箇所にあるときに前記発光源を点灯し、他の箇所にあるときには前記発光源を消灯する制御をおこなう、請求項１に記載のアルジネート印象材練和機。
【請求項３】
前記制御手段は、前記練和カップの公転速度より遅く公転しているように見せるタイミングで前記発光源の点灯及び消灯の制御をおこなう、請求項１に記載のアルジネート印象材練和機。
【請求項４】
前記練和カップを前記公転盤により公転させつつ、前記制御手段が前記練和カップが所定の複数箇所にあるときに前記発光源を点灯し、他の箇所にあるときには前記発光源を消灯する制御をおこなう、請求項１に記載のアルジネート印象材練和機。
【発明の詳細な説明】
【技術分野】
【０００１】
本発明は、アルジネート印象材練和装置に関する。
【背景技術】
【０００２】
歯科診療において歯形等の陰型を採得する際に使用される歯科用印象材の１つにアルジネート印象材がある。これは、安価であること、特別の収納容器を必要としないこと、及び２成分に分けて保存しなくても良いことなどの利点があり、多くの歯科診療の場において使用されている。
【０００３】
歯科用アルジネート印象材は、水溶性のアルギン酸塩と石膏とを反応させると、不溶性のアルギン酸カルシウムが生成して硬化することを利用したものである。このような歯科用アルジネート印象材を練和する装置として例えば特許文献１〜特許文献３のようなものが開示されている。
【先行技術文献】
【特許文献】
【０００４】
【特許文献１】特開昭６３−３１０６２９号公報
【特許文献２】実公平５−３２１１０号公報
【特許文献３】特開平７−２８９５６９号公報
【発明の概要】
【発明が解決しようとする課題】
【０００５】
一般に歯科治療の行為は患者にとって必ずしも快適なものではなく、施術者や歯科医院は患者が治療を受けるに際して、そのストレスをできるだけ緩和する環境を作ることも重要となってきている。
【０００６】
このような点を鑑み、練和時に視覚的にインパクトがある演出をすることができるアルジネート印象材練和装置を提供することを課題とする。
【課題を解決するための手段】
【０００７】
以下、本発明について説明する。ここでは分かり易さのため、図面に付した参照符号を括弧書きで併せて記載するが、本発明はこれに限定されるものではない。
【０００８】
本発明の１つの形態は、練和物を内包するための練和カップ（１３）と、透明である練和カップのフタ（１１）と、練和カップを公転軸（２２）周りに回転させる公転盤（２１）と、公転盤に配置され練和カップを装着するとともに練和カップを自転させる練和カップ受け（１４）と、練和カップの位置を検知するセンサ（３１）と、練和カップを照明する発光源（３２）と、練和カップの位置に基づき発光源の点灯及び消灯を制御する制御手段と、少なくとも練和カップを内包する筐体（２）と、筐体の開放及び閉鎖を切り替え、閉鎖時にも練和カップを視認できるように少なくとも一部が透明であるフタ（３）と、を備えるアルジネート印象材練和機（１）である。
【０００９】
上記アルジネート印象材練和機では、練和カップ（１３）を公転盤（２１）により公転させつつ、制御手段が練和カップが所定の一箇所にあるときに発光源（３２）を点灯し、他の箇所にあるときには発光源を消灯する制御をおこなうように構成することができる。
【００１０】
上記アルジネート印象材練和機では、制御手段は、練和カップ（１３）の公転速度より遅く公転しているように見せるタイミングで発光源（３２）の点灯及び消灯の制御をおこなうこともできる。
【００１１】
上記アルジネート印象材練和機では、練和カップ（１３）を公転盤（２１）により公転させつつ、制御手段が練和カップが所定の複数箇所にあるときに発光源（３２）を点灯し、他の箇所にあるときには発光源を消灯する制御をおこなうように構成することもできる。
【発明の効果】
【００１２】
本発明によれば、練和時に視覚的にインパクトがある演出をすることができ、患者が治療を受けるに際して、そのストレスを緩和する環境を作るひとつとすることが可能となる。
【図面の簡単な説明】
【００１３】
【図１】アルジネート印象材練和装置１の外観斜視図である。
【図２】アルジネート印象材練和装置１の構造を説明するために模式的に示した断面説明図である。
【図３】検知板３０の斜視図である。
【発明を実施するための形態】
【００１４】
以下、本発明を図面に示す形態に基づき説明する。ただし本発明はこれら形態に限定されるものではない。
【００１５】
図１は１つの形態に係るアルジネート印象材練和装置１の外観斜視図、図２はアルジネート印象材練和装置１の構造を説明するために模式的に示した断面説明図である。
図１、図２からわかるように、アルジネート印象材練和装置１は、箱型の筐体２の内側に各部材が配置され、筐体２の上部に開閉可能にフタ３が配置されており、筐体２の内側への連通及び閉鎖が可能となっている。また、フタ３は筐体２の内側（特に練和カップ１３）を視認することができるように少なくとも一部に窓部３ａを具備しており、窓部３ａは透明な材料により形成されている。透明な材料は特に限定されることはないが、樹脂やガラス等を挙げることができる。
【００１６】
図２からわかるように、アルジネート印象材練和装置１は、一方に底を有する円筒状の練和カップ１３、及びこの練和カップ１３の上方開口部を塞ぐための円板状の練和カップ用フタ１１を有している。これらは、練和カップ１３内に配置される材料を視認することができるように透明な材料により構成されている。透明な材料は特に限定されることはないが、樹脂やガラス等を挙げることができる。この練和カップ用フタ１１の大きさは、直径が６０ｍｍ〜１００ｍｍ程度であれば使用上充分な大きさである。
【００１７】
また、アルジネート印象材練和装置１は、練和カップ１３を装着又は内部に収納する練和カップ受け１４を有し、この練和カップ受け１４に練和カップ１３を収納する場合にはその下部の外形寸法と練和カップ受け１４の内径寸法とを合わせて嵌合するようにされていれば良い。また、練和カップ受け１４の上部には動作中に練和カップ１３が飛び出したり練和カップ用フタ１１が外れたりしないようにするための押さえ具１５が設けられている。この押さえ具１５は練和カップ１３の下部が練和カップ受け１４に固定される構造であって練和カップ用フタ１１がゴム製等の弾性素材で練和カップ１３の開口部に嵌着できる場合には特に設けなくても良い。
【００１８】
また、アルジネート印象材練和装置１は、回転軸１６を有し、回転軸１６は公転盤２１に固定されている軸受け収納箱１７の中に収納されているベアリング１７ａで回転自在に支持されておりその上端に練和カップ受け１４が固定されている。このような構成とすることにより、回転軸１６、及び練和カップ受け１４は公転盤２１に対して自転可能となる。
【００１９】
また、基台２６に固定して立設されている公転軸２２の上部に固定されているプーリ１８を備えており、ベルト２０はこのプーリ１８の外環溝と、公転盤２１より立設されている支持部１９ａに回転自在に装着されているプーリ状のベルトガイド１９を屈曲点として折れ曲がり練和カップ受け１４の下部に設けられているベルト溝１４ａとに嵌まるように装着されている。
【００２０】
公転軸２２には、ベアリングを介して取り付けられているベルトプーリ２３が配置され、その上面が公転盤２１の下面に固定されている。このベルトプーリ２３の外環溝と、基台２６内に取り付けられている駆動用モータ２４の回転軸に固定されているモータプーリ２４ａの外環溝とに嵌まるようにベルト２５が装着されている。このような構成とすることにより、駆動用モータ２４の回転力がベルト２５を介してベルトプーリ２３に伝達されると、公転盤２１が公転軸２２の周りを公転する。
【００２１】
また、アルジネート練和装置１は、演出用照明装置を具備しており、本形態では、この演出用照明装置は、検出板３０、センサ３１、発光源３２、及び不図示の制御手段を有して構成されている。
【００２２】
検出板３０は、公転盤２１の公転軸２２周りの回転の状態をセンサ３１が検知できるように構成された板状の部材である。図３に検知板３０の斜視図を表した。図３からわかるように、検出板３０はその中央に公転軸２２が通される穴３０ａを有し、その外周には周方向に複数のスリット３０ｂが設けられている。このスリット３０ｂの有無をセンサ３１が検知することにより公転盤２１の回転状態、すなわち練和カップ１３の位置を得ることができる。
すなわち、検出板３０は公転軸２２に取り付けられ、公転軸２２を中心に回転するように配置されている。
【００２３】
センサ３１は、検出板３０のスリット３０ｂが該検出板３０の直上を通過したかを検知することができるように構成されたセンサである。このようなセンサとして例えば誘導形、静電容量形、超音波形、光電形、磁気形の近接センサが挙げられる。
センサ３１は、上記のようにスリット３０ｂの通過を検知することができる位置に配置されればよい。本形態では図２からわかるように、検出板３０に対向するように基台２６に配置されている。
【００２４】
発光源３２は、筐体２の内側に配置され、特に筐体２の内側に配置された練和カップ１３を照明することができるように配置された光源である。このような発光源３２としては例えばＬＥＤを挙げることができる。このような発光源３２の員数、及び配置は特に限定されることはないが、例えば３個以上１０個以下で、筐体３の内面周方向に沿って等間隔で配置することができる。発光源の数が２個以下であると光量が足りない虞があり、発光源の数が１１個以上であると効果に対して消費電力が問題になる傾向にある。
【００２５】
制御手段は、センサ３１からの情報に基づいて発光源３２の点灯及び消灯を制御する手段である。すなわち、検知板３０は公転軸２２の回転に追随して回転するので、検知板３０のスリット３０ａの位置と練和カップ１３の位置とを予め対応付けしておくことができる。そして当該スリット３０ａの有無をセンサ３１が検知することにより、練和カップ１３が現在どの位置に存在するかを信号により把握することが可能である。この信号を受信した制御手段は、練和カップ１３が予め決めておいた所定の位置に存在するときに発光源を点灯し、他のときには消灯することで、練和は進行しつつも、練和カップ１３が所定の位置に静止しているように見える。これにより、練和時に視覚的にインパクトがある演出をすることができ、患者が治療を受けるに際して、そのストレスを緩和する環境を作るひとつとなりえる。
視覚的にインパクトを与える演出をすることができればよい観点から、制御手段による発光源の点灯、及び消灯のタイミングは練和カップ１３が一箇所に留まる態様であることに限らず、例えば練和カップ１３が実際の公転よりかなり遅く公転しているように見せることもできるし、複数の練和カップ１３が円周上に並んでいるように見せることも可能である。
【００２６】
このような制御手段としては、中央演算子（ＣＰＵ）、ＲＯＭ、ＲＡＭ、入力端子、出力端子を含む電子回路により構成することができる。入力端子から取得したセンサ３１からの信号をＲＯＭに予め保存されていたプログラムに基づいてＲＡＭ等の作業領域を用いて演算し、その結果に基づいて出力端子から発光源に対して点灯、消灯の信号を送信する。
【００２７】
次に以上のような構成を備えるアルジネート印象材練和装置１の作用について説明する。すなわち、練和カップ１３内に歯科用アルジネート印象材の粉末と水等の液体とを各々所定量計量して投入し、練和カップ１３の上方開口部を練和カップ用フタ１１で塞いだ後、練和カップ受け１４内に内部に収納し、練和カップ用フタ１１が外れないように押さえ具１５で練和カップ用フタ１１を押さえ付ける。
【００２８】
次いで、不図示のスイッチを入れると基台２６内に取り付けられている駆動用モータ２４が駆動されて、初期においては低速回転で、次いで高速回転域では高速での少なくとも二段階の定速回転でその回転軸を回転させる。この低速回転での回転数に対する高速回転域での回転数の比は、３乃至６倍程度が好ましい。その理由は３倍未満では練和物中の気泡が完全に抜けきれていない場合があり、６倍を超えるとアルジネート印象材の練和物の硬化が早くなり過ぎて好ましくないからである。
【００２９】
このようにして駆動用モータ２４が駆動されると、駆動用モータ２４の回転軸に固定されているモータプーリ２４ａの外環溝に嵌まるように装着されているベルト２５を介して公転軸２２にベアリングを介して取り付けられているベルトプーリ２３が回転し、このベルトプーリ２３の上面が固定されている公転盤２１が公転軸２２の周りを公転する。また、公転盤２１が公転軸２２の周りを公転すると、この公転盤２１に固定されている軸受け収納箱１７も公転軸２２の周りを公転するため、軸受け収納箱１７の中に収納されているベアリング１７ａで回転自在に支持されている回転軸１６の上端に固定されている練和カップ受け１４も公転軸２２の周りを公転する。この公転する練和カップ受け１４の下部に設けられているベルト溝１４ａと基台２６とに固定して立設されている公転軸２２の上部に固定されているプーリ１８の外環溝は、公転盤２１より立設されている支持部１９ａに回転自在に装着されているプーリ状のベルトガイド１９を屈曲点として折れ曲がっているベルト２０が嵌まるように装着されているので、このベルト２０により練和カップ受け１４は公転盤２１の端部で自転する。
【００３０】
この自転と公転の回転数の比は各プーリ２４ａ、２３、１８の大きさを勘案することで調節が可能であるが、例えば低速回転域Ａでは自転数が１００ｒｐｍ〜１５０ｒｐｍで公転数が１５００ｒｐｍ〜２５００ｒｐｍとなるように設定し、低速回転での時間を３秒〜６秒で高速回転での時間を１２秒〜２０秒になるように設定すると好ましい練和結果が得られる。
【００３１】
そしてこのような公転及び自転の際に、公転軸２２の回転に追随して検知板３０が回転し、検知板３０のスリット３０ａがセンサ３１の直上を繰り返し通過する。このとき、検知板３０のスリット３０ａの位置と練和カップ１３の位置とを予め対応付けされているので、スリット３０ａの有無をセンサ３１が検知することにより、練和カップ１３の位置がセンサ３１からの信号により把握される。
センサ３１からの信号を受信した制御手段は、練和カップ１３が予め決めておいた所定の位置に存在するときに発光源３２を点灯し、他のときには消灯することで、練和は通常通りに進行しつつも、練和カップ１３が所定の位置に静止しているように見させることができる。これにより、練和時に視覚的にインパクトがある演出をすることができ、患者が治療を受けるに際して、そのストレスを緩和する環境を作るひとつとなりえる。
【符号の説明】
【００３２】
１  アルジネート印象材練和装置
２  筐体
３  フタ
１１  練和カップ用フタ
１３  練和カップ
１４  練和カップ受け
１５  押さえ具
１６  回転軸
１７  軸受け収納箱
１８  プーリ
１９  ベルトガイド
２０  ベルト
２１  公転盤
２２  公転軸
２３  ベルトプーリ
２４  駆動用モータ
２４ａ  モータプーリ
２５  ベルト
２６  基台
３０  検知板
３１  センサ
３２  発光源
【図１】
2018007926.tif 000003
【図２】
2018007926.tif 000004
【図３】
2018007926.tif 000005